(57)【要約】【課題】容易かつ安全に持ち運ぶことが可能なセキュアなポータブルマウスメモリ装置を提供すること。【解決手段】プロセッサユニットと共に使用するためのセキュアなポータブルマウスメモリ装置は、前記プロセッサユニットと通信可能な状態にある暗号化プロセッサを有するマウス、メモリ、及び暗号化キーを含む。該メモリは、該メモリがプロセッサユニットと通信することが可能となるアンロックモードと、該メモリがプロセッサユニットと通信することができなくなるロックモードとを有する。前記暗号化プロセッサは、受信したアンロックコードを暗号化キーと突き合わせた際にメモリをアンロックモードでロックする。【選択図】図１
2007026448.tif 000002
【特許請求の範囲】
【請求項１】
プロセッサユニット(70)と共に使用するためのセキュアなポータブルマウスメモリ装置(10)であって、
前記プロセッサユニット(70)と通信可能な状態にある暗号化プロセッサ(170)を有するマウス(20)と、
メモリ(60)が前記プロセッサユニット(70)と通信するよう動作することができるアンロックモードを有し、及びメモリ(60)が前記プロセッサユニット(70)と通信するよう動作することができないロックモードを有する、メモリ(60)と、
暗号化キー(67)であって、前記暗号化プロセッサ(170)が受信したロック処理コードを該暗号化キーと突き合わせた際に該暗号化プロセッサ(170)が前記メモリ(60)をアンロックモードにロックする、暗号化キー(67)と
を含む、セキュアなポータブルマウスメモリ装置(10)。
【請求項２】
前記マウス(24)が、アンロックモードにあるメモリ(60)と前記プロセッサユニット(70)との間で、ワイヤレス接続を介してデータを送信するよう動作することが可能である、請求項１に記載の装置(11)。
【請求項３】
前記マウス(24)がマウスコード(35)を有し、該マウスコードがプロセッサコネクタ端部(50)を有し、該プロセッサコネクタ端部(50)を受容するための受容ポート(58)を前記マウスが有する、請求項１に記載の装置。
【請求項４】
前記プロセッサコネクタ端部(50)が、コンピュータ、携帯型通信装置、ラップトップコンピュータ、パーソナルディジタルアシスタント、携帯電話、音楽プレーヤ、ディジタルカメラ装置、ビデオ記録装置、及びそれらの組み合わせからなるグループから選択されたプロセッサユニット(70)に接続されるよう構成される、請求項３に記載の装置。
【請求項５】
前記プロセッサコネクタ端部がメモリ装置(61)を含み、該メモリ装置(61)が前記受容ポート(59)に挿入可能なものである、請求項３に記載の装置(13)。
【請求項６】
前記暗号化キー(67)がバイオメトリック識別子であり、前記マウス(20)が更にバイオメトリックセンサ(150)を含む、請求項１に記載の装置(10)。
【請求項７】
前記マウス(22)がメモリポート(59)を有し、前記メモリが該メモリポートに挿入可能なリムーバブルメモリ装置(65)である、請求項１に記載の装置(12)。
【請求項８】
前記マウスがメモリポート(59)を有し、前記メモリ(60)がアンロックモードにあるときに前記メモリポート(59)に挿入されたリムーバブルメモリ装置(65)から前記メモリ(60)をアップデートすることが可能である、請求項１に記載の装置(12)。
【請求項９】
マウスコード(39)を伸縮させるよう動作することが可能であり、及び前記マウス(26)に取り付けられる、スプール装置(80)を更に含む、請求項１に記載の装置(14)。
【請求項１０】
前記マウス(28)がハウジング部(29)を有し、該ハウジング部(29)内に前記スプール装置(81)が配設され、
前記プロセッサコネクタ端部(45)が部分的に前記ハウジング部(29)の外部に位置する、
請求項９に記載の装置(15)。
【請求項１１】
前記メモリ(61)が前記スプール装置(82)内に配設される、請求項９に記載の装置(16)。
【請求項１２】
プロセッサユニット(70)と共に使用するためのセキュアなポータブルマウスメモリシステム(5)であって、
ハウジング部(21)を有するマウス(20)と、
該ハウジング部(21)内に配設された暗号化プロセッサ(170)であって、前記プロセッサユニット(70)と通信可能な状態にあり、及び該プロセッサユニット(70)のユーザからロック処理コードを受信するよう動作することが可能である、暗号化プロセッサ(170)と、
前記ハウジング部(21)内に配設された前記暗号化プロセッサ(170)と接続するよう動作することが可能であり、及びロック処理モードを有する、メモリ(60)と、
前記ハウジング部(21)内に格納された暗号化キー(67)であって、前記暗号化プロセッサ(170)が受信したロック処理コードを該暗号化キー(67)と突き合わせた際に該暗号化プロセッサ(170)が前記メモリ(60)のロック処理モードをアンロックモードに設定する、暗号化キー(67)と
を含む、セキュアなポータブルマウスメモリシステム(5)。
【請求項１３】
前記メモリの前記ロック処理モードが、ロックモード及びアンロックモードを含み、該メモリ(60)が、前記アンロックモードにおいて前記プロセッサユニット(170)と通信するよう動作することができ、前記ロックモードにおいて前記プロセッサユニット(170)と通信するよう動作することができない、請求項１２に記載のシステム。
【請求項１４】
前記マウス(20)が、プロセッサコネクタ端部(50)を有するマウスコードを含み、該プロセッサコネクタ端部(50)を受容するための受容ポート(58)もまた有する、請求項１２に記載のシステム(5)。
【請求項１５】
前記マウス(20)がハウジング部(21)を有し、該ハウジング部(21)内に前記受容ポート(58)が形成される、請求項１４に記載のシステム(5)。
【請求項１６】
前記プロセッサコネクタ端部(50)が前記受容ポート(58)に取り付けられた際に該装置(10)がネックレス(42)を形成することを可能にする長さを前記コード(35)が有する、請求項１５に記載のシステム。
【請求項１７】
前記マウス(24)が、ワイヤレス接続を介して前記メモリ(60)と前記プロセッサユニット(70)との間でデータを送信するよう動作することが可能である、請求項１２に記載のシステム。
【請求項１８】
セキュアなポータブルマウスメモリシステムであって、
暗号化キー(67)と受信したロック処理コードとの一致を判定するための手段と、
マウス(20)内のメモリ(60)のロック処理モードを設定するための手段と、
前記マウス(20)とプロセッサユニット(70)との間の接続を確立するための手段と、
前記接続が確立されているときに前記ロック処理モードの設定に基づいて前記メモリ(60)と前記プロセッサユニット(70)との間でデータを送信するための手段と
を含む、セキュアなポータブルマウスメモリシステム。
【請求項１９】
前記接続が確立されていないときに前記マウス(20)をユーザへ取り付けるための手段を更に含む、請求項１８に記載のシステム。
【請求項２０】
前記接続を確立するための前記手段を格納するための手段を更に含む、請求項１９に記載のシステム。
【発明の詳細な説明】
【技術分野】
【０００１】
本発明は、ポータブルメモリマウス装置に関するものである。
【背景技術】
【０００２】
コンピュータは、マウス用のグラフィカルユーザインタフェイスポート及びメモリ装置用のポートといった、ユーザインタフェイス用のポートを含む。これらポートは、USB（Universal Serial Bus）及びFireWire2といった規格に従って動作することが可能なコネクタを受容するよう設計される。JumpDrive(R)及びメモリースティック(R)といった小型のポータブルメモリ装置は、コンピュータに結合させて複数のコンピュータ間におけるデータ転送を容易に行うために使用されるものである。
【０００３】
最近利用することが可能となったポータブルメモリ装置は、会議及びミーティングで話者がスライドを提示する態様を変化させるものとなった。話者は、自身のプレゼンテーションを、会議室に設置されている１台のラップトップにメモリ装置からダウンロードし、該プレゼンテーションを投影する。次いで各話者は、そのスライドを（場合によっては、そのラップトップのカーソルを）制御しつつ自身の話を進める。マウスの代わりに、ラップトップは、一般にカーソルを制御するためにタッチパッド及び／又はナブ（nub）を含む。該タッチパッド及び／又はナブは、カーソルのマウスによる制御に慣れた者にとっては使い難い場合が多い。
【０００４】
ポータブルメモリ装置は、話者が運ぶ荷物を軽くするのに有用なものである。プレゼンテーションをするのにラップトップを持ち運ぶ必要がないからである。しかし、ポータブルメモリ装置内のデータはセキュアではない。該ポータブルメモリ装置のユーザが該装置を紛失した場合、該ポータブルメモリ装置を発見した者は、そのデータを自身のコンピュータへダウンロードすることができる。これは望ましくない。ポータブルメモリ装置上の情報は機密事項である場合が多いからである。ポータブルメモリ装置によっては、ソフトウェアにより保護されているものがあるが、ユーザが２台以上のパーソナルコンピュータでポータブルメモリ装置を使用したい場合には、パスワードも該ポータブルメモリ装置上に存在する必要がある。ポータブルメモリ装置上にパスワードが存在すると、該装置内のパスワードをクラックすることが可能であり、よって完全にセキュアではない。
【０００５】
ラップトップに接続してフィンガパッド又はナブの機能に取って代わるものとして小型マウスが入手可能である。話者は、IBM PS/2 Miniature Mouse Pointing Device 又は IOGEAR Mini Mouse 800 モデル GME222といった小型マウスをプレゼンテーションに持参することができる。話者は、プレゼンテーションの準備が整った際に、プレゼンテーション中にカードルを制御するために、プレゼンテーション用のラップトップに小型マウスをプラグインする。代替的には、話者は、Kensington 72117 Pocket Mouse 等のワイヤレスマウスを使用することができる。何れの場合も、話者は、マウス及びメモリ装置をプレゼンテーションに持参しなければならない。マウス及びメモリ装置を携行するのは不便である。マウスは壊れ易いものであり、ポケット、ハンドバッグ、又はブリーフケース内で運んだ場合に損傷する可能性がある。メモリ装置は小さいものであり、ブリーフケース又はハンドバッグ内で見つけるのが困難となる可能性がある。
【発明の開示】
【発明が解決しようとする課題】
【０００６】
運ぶのが容易であるセキュアなメモリ装置を提供するための単純なシステムを見出すのが望ましい。更に、マウス及びセキュアなメモリ装置を運ぶための単純なシステムであって該マウス及び／又はセキュアなメモリ装置に対する損傷も防止するシステムを見出すのが望ましい。
【課題を解決するための手段】
【０００７】
本発明は、その第１の態様では、プロセッサユニットと共に使用するためのセキュアなポータブルマウスメモリ装置を提供する。該装置は、前記プロセッサユニットと通信可能な状態にある暗号化プロセッサを有するマウス、メモリ、及び暗号化キーを含む。該メモリは、該メモリがプロセッサユニットと通信することが可能となるアンロックモードと、該メモリがプロセッサユニットと通信することができなくなるロックモードとを有する。前記暗号化プロセッサは、受信したアンロックコードを暗号化キーと突き合わせた際に、メモリをアンロックモードでロックする。
【０００８】
本発明は、その第２の態様では、プロセッサユニットと共に使用するためのセキュアなポータブルマウスメモリシステムを提供する。該セキュアなポータブルマウスメモリシステムは、ハウジング部と該ハウジング部内に配設された暗号化プロセッサとを有するマウスを含む。該暗号化プロセッサは、前記プロセッサユニットと通信可能な状態にあり、該プロセッサユニットのユーザからロック処理コードを受信するよう動作することが可能なものである。該セキュアなポータブルマウスメモリシステムはまた、前記ハウジング部内に配設されたメモリと該ハウジング部内に格納された暗号化キーとを含む。該メモリはロック処理モードを有し、前記暗号化プロセッサが、受信したロック処理コードを前記暗号化キーと突き合わせた際に、メモリのロック処理モードをアンロックモードに設定する。
【０００９】
本発明は、その第３の態様では、暗号化キーと受信したロック処理コードとの一致を判定するための手段と、メモリを有するマウス内のメモリのロック処理モードを設定するための手段と、該ロック処理モードの設定に基づき前記メモリとプロセッサユニットとの間でデータを転送するための手段とを含む、ポータブルマウスメモリシステムを提供する。
【００１０】
本発明の上述のその他の特徴及び利点は、以下の現時点での好適な実施形態の詳細な説明を図面と共に参照することにより更に明らかとなろう。該詳細な説明及び図面は、単に本発明を例示するものであって、特許請求の範囲及びそれと等価なものにより画定される本発明の範囲に制限を加えるものではない。
【発明を実施するための最良の形態】
【００１１】
本発明をその制限ではなくその例示として図面に示す。同図では、同様の符号は同様の構成要素を示している。
【００１２】
以下の説明では、本発明が不明瞭になるのを回避すべく、コンピュータシステム及び該コンピュータシステムとのグラフィカルユーザインタフェイスとして動作可能なマウスの幾つかの周知の特徴は図示せず又は説明しないこととする。本書で提示するのは、セキュアなメモリを有するマウスの幾つかの実施形態であり、この場合には、マウスの所有者が該マウスにより識別された場合にのみ該マウスとプロセッサユニットとの間の接続を確立することができる。該確立された接続は、該マウスと該プロセッサユニットとの間でデータを転送するよう実施することが可能なものである。該接続が確立されていない場合には、マウス、マウスコード、及び該マウスコードの端部のコネクタは、ネックレスを形成するよう機能することが可能である。該ネックレスは、マウスコードの一端のコネクタが、マウスのハウジング部内の受容ポートに挿入された際に形成される。
【００１３】
図１は、本発明の第１の実施形態によるセキュアなポータブルマウスメモリ装置10を断面で示す平面図である。該セキュアなポータブルマウスメモリ装置10は、ハウジング部21を有するマウス20を含み、該ハウジング部21は、メモリ60及び暗号化プロセッサ170を収容する。該セキュアなポータブルマウスメモリ装置10は、メモリ60をアンロックする暗号化キー67をメモリ60内に含む。マウスコード35の一端はマウス20に取り付けられ、該マウスコード35の他端はプロセッサコネクタ端部50に取り付けられる。マウス20のハウジング部21内に受容ポート58が形成され、該受容ポート58内にプロセッサコネクタ端部50を挿入することができる。当業界で周知のように、プロセッサコネクタ端部50にラッチ機構が一体的に形成され、そのラッチが解除されるまで該プロセッサコネクタ端部50の位置が維持されるようになっている。
【００１４】
図２は、本発明の第１の実施形態による、プロセッサユニット70と通信可能な状態にあるセキュアなポータブルマウスメモリ装置10を示す平面図である。該プロセッサユニット70はプロセッサ受容ポート71を有しており、該プロセッサ受容ポート71内にプロセッサコネクタ端部50が挿入される。プロセッサコネクタ端部50のラッチ機構は、そのラッチが解除されるまでプロセッサ受容ポート71内のプロセッサコネクタ端部50の位置を維持する。
【００１５】
セキュアなポータブルマウスメモリシステム5は、プロセッサユニット70と通信可能な状態にあるセキュアなポータブルマウスメモリ装置10を含む。暗号化プロセッサ170は、プロセッサユニット70と通信可能な状態にあり、該プロセッサユニット70のユーザからロック処理コードを受信するよう動作することが可能である。ユーザからのロック処理コードは、アンロックコード又はロックコードである。メモリ60は、暗号化プロセッサ170と相互作用するよう動作することが可能である。メモリ60は、ロック処理モードを有し、該ロック処理モードは、ロックモード又はアンロックモードとなる。暗号化プロセッサ170は、該暗号化プロセッサ170が受信したロック処理コードが暗号化キー67と一致する場合にメモリ60のロック処理モードをアンロックモードに設定する。この場合、受信したロック処理コードはアンロックコードであると見なされる。
【００１６】
暗号化キー67が受信したロック処理コードと一致しない場合には、暗号化プロセッサ170は、メモリ60のロック処理モードをロックモードに設定し又は維持する。この場合、受信したロック処理コードはロックコードであると見なされる。
【００１７】
特にこの構成では、プロセッサコネクタ端部50がプロセッサ受容ポート71内に挿入された際に、暗号化プロセッサ170が、マウスコード35を介してプロセッサユニット70のユーザにロック処理コードの入力を促す。ユーザはロック処理コードを入力し、該ロック処理コードが、プロセッサユニット70から、マウスコード35及びハウジング部21内の導電トレース（図示せず）を介して、セキュアなポータブルマウスメモリ装置10内のメモリ60へと送信される。該セキュアなポータブルマウスメモリ装置10内の暗号化プロセッサ170は、該ユーザからのロック処理コードを受信し、該受信したロック処理コードをメモリ60内の暗号化キー67と比較する。暗号化プロセッサ170は、それらが一致すると判定した場合に、メモリ60のロックを解除して該メモリをアンロックモードにする。該アンロックモードでは、メモリ60は、マウスコード35を介してプロセッサユニット70と通信するよう動作することが可能となる。暗号化キー67と受信したロック処理コードとが一致しないと暗号化プロセッサ170が判定した場合には、メモリ60はロックモードに維持される。ロックモードでは、メモリ60内のデータがプロセッサユニット70に通信されることはない。前記接続は更に、カーソル制御信号をマウス20からプロセッサユニット70へ送信するよう動作することが可能である。メモリは、NAND（Not-And）フラッシュメモリ、NOR（Not-Or）フラッシュメモリ、強磁性ランダムアクセスメモリ（FeRAM）とすることが可能である。
【００１８】
破線60,67,58は、ハウジング部21の上部に投影させた、メモリ60、暗号化キー67、及び受容ポート58の範囲を表している。破線71は、プロセッサユニット70の上部に投影させたプロセッサ受容ポート71の範囲を表している。
【００１９】
一実施形態では、プロセッサ受容ポート71はUSB規格に従うUSB（Universal Serial Bus）ポートであり、プロセッサコネクタ端部50はUSB規格に従うUSBコネクタであり、これによりメモリ60とプロセッサユニット70との間の電気的な通信が可能となる。別の実施形態では、プロセッサ受容ポート71はFireWire規格に従うFireWireポートであり、プロセッサコネクタ端部50はFireWire規格に従うコネクタであり、これによりメモリ60とプロセッサユニット70との間の電気的な通信が可能となる。更に別の実施形態では、暗号化プロセッサ170はメモリ60の一部となる。更に別の実施形態では、暗号化キー67はメモリ60の外部となる。更に別の実施形態では、暗号化キー67は暗号化プロセッサ170内に格納される。
【００２０】
更に別の実施形態では、暗号化プロセッサ170及び暗号化キー67のセキュリティ機能は、ユーザを識別するバイオメトリック識別子となる。この場合には、マウス20は、ハウジング部21の外面にバイオメトリックセンサ150（図２）を含む。このセキュアなポータブルマウスメモリ装置10のユーザは、該バイオメトリックセンサ150への入力を提供し、これによりバイオメトリックデータが生成される。暗号化プロセッサ170は、該バイオメトリックデータをバイオメトリックセンサ150から受信し、該受信したバイオメトリックデータを暗号化キー67と突き合わせる。一実施形態では、暗号化キー67は、ユーザの指紋であり、バイオメトリックセンサ150は指紋スキャナである。別の実施形態では、暗号化キー67はユーザの虹彩であり、バイオメトリックセンサ150は虹彩スキャナである。
【００２１】
プロセッサユニット70は、コンピュータ、携帯型通信装置、ラップトップコンピュータ、パーソナルディジタルアシスタント、携帯電話、MP3プレーヤ等の音楽プレーヤ、ディジタルカメラ装置、ビデオ記録装置、及びそれらの組み合わせとすることが可能である。マウス20は、LED又はレーザ光源を含む光学式マウス又はトラックボールを含む機械式マウスとすることが可能である。マウス20は、大型マウス、小型マウス、及び中型マウスとすることが可能である。大型マウスは、その正面から背面まで約15〜10cmの範囲の長さを有する。中型マウスは、その正面から背面まで約10〜5cmの範囲の長さを有する。小型マウスは、その正面から背面まで約5〜1cmの範囲の長さを有する。それらの範囲に重複する大きさを有するマウスは複合サイズのものと定義することができ、例えば、10cmのマウスは中大型マウスとして認識することができる。
【００２２】
図３は、本発明の第１の実施形態によるネックレス42という形のセキュアなポータブルマウスメモリ装置10を示している。マウスコード35は、プロセッサコネクタ端部50が受容ポート58に取り付けられた際に該セキュアなポータブルマウスメモリ装置10がネックレス42を形成することができるような長さを有している。一実施形態では、コネクタをポート内に差し込むことによりコネクタ端部が受容ポートに固定的に取り付けられる。
【００２３】
一実施形態では、セキュアなポータブルマウスメモリ装置10の表面上の受容クリップ（図示せず）が前記受容ポート58に取って代わる。該受容クリップ内にプロセッサコネクタ端部50がスナップ留めされて、該セキュアなポータブルマウスメモリ装置10がプロセッサコネクタ端部50に固定的に取り付けられてネックレス42の形となる。セキュアなポータブルマウスメモリ装置10及びプロセッサコネクタ端部50上の、掛け金、はめ合いスナップ、ベルクロ(R)、及び互換性（compatible）粘着テープのうちの１つ又は２つ以上を含む他の固定的な取り付けもまた実施可能である。更に別の実施形態では、マウスメモリ装置10がネックレス42として形成されている際に、ハウジング部21上に配設されたクリップ（図示せず）が、ユーザが着用している衣服に取り付けられる。更に別の実施形態では、マウスメモリ装置10がネックレス42として形成されている際に、ハウジング部21上に配設されたキーチェーンリング（図示せず）が、ユーザのキーチェーンに取り付けられる。
【００２４】
更に別の実施形態では、セキュアなポータブルマウスメモリ装置10の表面上の受容溝（図示せず）が前記受容ポート58に取って代わり、該受容溝と係合する構造体（図示せず）がプロセッサコネクタ端部50上に形成される。この場合には、前記の係合する構造体が、前記セキュアなポータブルマウスメモリ装置10の前記受容溝内へとスライドして、該セキュアなポータブルマウスメモリ装置10がネックレス42という形で前記プロセッサコネクタ端部50に固定的に取り付けられる。
【００２５】
更に別の実施形態では、マウスコード35が、そのプロセッサコネクタ端部50から離れた一端に第２のプロセッサコネクタ端部（図示せず）を含む。この場合には、該第２のプロセッサコネクタ端部が、マウス20のハウジング部21に形成された第２の受容ポート（図示せず）内に挿入されて、該マウスコード35を該セキュアなポータブルマウスメモリ装置10から完全に取り外すことが可能となる。
【００２６】
更に別の実施形態では、セキュアなポータブルマウスメモリ装置10の表面上の受容溝（図示せず）を、例えばMP3プレーヤ等のプロセッサユニット70を受容し確実に保持するよう機能するものとすることが可能である。
【００２７】
セキュアなポータブルマウスメモリ装置10のユーザは、該セキュアなポータブルマウスメモリ装置10がネックレス形態42にある際に、マウス20及びマウスコード35を、該ユーザ自身の首の周囲で支持することができる。メモリ60がハウジング部21内に収容されているため、ユーザは、ネックレス42という形で該ユーザの首を取り囲むセキュアなポータブルマウスメモリ装置10内に組み込まれたメモリ装置及びマウス装置と共に容易に移動することができる。このようにして、セキュアなポータブルマウスメモリ装置10が損傷したり紛失したりすることがなくなる。
【００２８】
図４は、本発明の第２の実施形態による、プロセッサユニット70と通信可能な状態にあるセキュアなポータブルマウスメモリ装置10の断面を示す平面図である。この第２の実施形態では、マウス24は、ワイヤレスチップ62を含んでいるため、第１の実施形態のマウス20とは異なる。該ワイヤレスチップ62は、メモリ60と電気的に通信可能な状態にある。該ワイヤレスチップ62はハウジング部25内に収容され、これと互換性のあるワイヤレスチップ72がプロセッサユニット70内に収容されている。
【００２９】
この構成では、セキュアなポータブルマウスメモリ装置11が、メモリ60からプロセッサユニット70へデータを転送するようトリガされた際に、暗号化プロセッサ170がワイヤレス信号を介してプロセッサユニット70のユーザにロック処理コードの入力を促す。ユーザがアンロックコードを入力し、該アンロックコードがワイヤレス信号を介してプロセッサユニット70からセキュアなポータブルマウスメモリ装置11内のメモリ60へ送信される。該セキュアなポータブルマウスメモリ装置11内の暗号化プロセッサ170は、受信したロック処理コードをメモリ60内の暗号化キー67と比較する。暗号化プロセッサ170は、それらが一致すると判定した場合に、メモリ60をアンロックして、該メモリ60がワイヤレス信号を介してプロセッサユニット70と通信するよう動作することを可能にする。メモリ60内のデータの一部又は全部は、暗号化プロセッサ170へダウンロードすることができる。暗号化プロセッサ170が、暗号化キー67とユーザにより入力されたアンロックコードとが一致すると判定しなかった場合には、メモリ60はロックされたままとなる。この場合には、メモリ60は、プロセッサユニット70と通信可能な状態にはなく、データがメモリ60から暗号化プロセッサ170へダウンロードされることはない。
【００３０】
マウス24内のワイヤレスチップ62は、ワイヤレス接続を介してメモリ60からプロセッサユニット70内のワイヤレスチップ72へデータを送信するよう動作することが可能である。更に、プロセッサユニット70内のワイヤレスチップ72は、該プロセッサユニット70内に格納されているデータをワイヤレス接続を介してマウス24内のワイヤレスチップ62へ送信するよう動作することが可能である。ネックレス42は、プロセッサコネクタ端部50がマウス24の受容ポート58に取り付けられた際に形成される。
【００３１】
この実施形態では、ユーザは、セキュアなポータブルマウスメモリ装置11との間でデータをワイヤレスで送信することができる。例えば、ユーザは、セキュアなポータブルマウスメモリ装置11を自身の首にかけ、及びコンピュータのキーボードをタイプして、該セキュアなポータブルマウスメモリ装置11内のメモリ60内のデータを該コンピュータへワイヤレスで送信することができる。
【００３２】
別の実施形態では、ハウジング部25上に配設されたクリップ（図示せず）が、ユーザが着用している衣服に取り付けられ、マウスメモリ装置は、マウスコード35又はプロセッサコネクタ端部50を含まないものとなる。この場合には、ユーザは、セキュアなポータブルマウスメモリ装置11を自身のシャツにクリップ留めし、及びコンピュータのキーボードをタイプし、該セキュアなポータブルマウスメモリ装置11内のメモリ60内のデータが該コンピュータへワイヤレスで送信される。
【００３３】
更に別の実施形態では、マウスメモリ装置11がネックレス42として形成されている際に、そのハウジング部25上に配設されたクリップ（図示せず）がユーザが着用している衣服に取り付けられる。更に別の実施形態では、マウスメモリ装置11がネックレス42として形成されている際に、ハウジング部25上に配設されたキーチェーンリング（図示せず）がユーザのキーチェーンに取り付けられる。一実施形態では、ワイヤレスチップ62及びワイヤレスチップ72は、当業界で周知のWi-Fi技術と互換性のある短距離用ワイヤレスチップである。別の実施形態では、ワイヤレスチップ62及びワイヤレスチップ72は、当業界で周知のBluetooth技術と互換性のある短距離用ワイヤレスチップである。更に別の実施形態では、２つ以上のワイヤレス技術を用いた複数のワイヤレスチップがハウジング部25内に収容される。更に別の実施形態では、ハウジング部25内のプロセッサチップ（図示せず）がメモリ60とワイヤレスチップ62との間に介在する。更に別の実施形態では、ワイヤレスチップ62は暗号化プロセッサ170を含む。
【００３４】
更に別の実施形態では、セキュアなポータブルマウスメモリ装置11は、マウスコード35を介して電気的に又はワイヤレスでメモリ60からプロセッサユニット70へデータを送信するよう動作する。この場合、セキュアなポータブルマウスメモリ装置11が、ワイヤレスチップ72を含まないプロセッサユニット70と通信している場合には、図１ないし図２を参照して上述したようにマウスコード35がプロセッサユニット70に取り付けられる。
【００３５】
セキュアなポータブルマウスメモリ装置11及びプロセッサコネクタ端部50上の、掛け金、はめ合いスナップ、クリップ、溝、ベルクロ(R)、及び互換性粘着テープのうちの１つ又は２つ以上を含む他の固定的な取り付けもまた、図３を参照して上述したようにネックレス42を形成するために実施することが可能である。
【００３６】
一実施形態では、マウスコード35は、そのプロセッサコネクタ端部50から離れた一端に第２のプロセッサコネクタ端部（図示せず）を含む。この場合には、該第２のプロセッサコネクタ端部が、マウス24のハウジング部25に形成された第２の受容ポート（図示せず）内に挿入される。この場合には、該マウスコード35を該セキュアなポータブルマウスメモリ装置11から完全に取り外すことが可能となる。
【００３７】
図５は、本発明の第３の実施形態による、プロセッサユニット70と通信可能な状態にあるセキュアなポータブルマウスメモリ装置12を示す平面図である。この第３の実施形態では、マウス22は、その受容ポート59が更に、挿入可能なメモリ装置65を受容するよう更に機能することが可能なものであるという点で、第１の実施形態のマウス20とは異なる。該受容ポート59とメモリ60との電気的な接続は、メモリ装置65に格納されているデータをメモリ60へ送信するよう機能することが可能なものである。このようにして、マウス22のハウジング部23内に形成されたメモリポート59内に挿入されたリムーバブルメモリ装置65からメモリ60が更新される。この実施形態では、暗号化プロセッサ170は、図２に関連して上述したように機能する。
【００３８】
一実施形態では、暗号化プロセッサ170は、メモリ装置65が受容ポート59に挿入された際に該メモリ装置65に対してロック処理コードを催促する。メモリ装置65は、ロック処理コードを暗号化プロセッサ170へ送信する。セキュアなポータブルマウスメモリ装置12内の暗号化プロセッサ170は、受信したロック処理コードを、メモリ60内の暗号化キー67と比較する。暗号化プロセッサ170は、それらが一致すると判定した場合に、メモリ装置65のロックを解除し、これにより、該メモリ装置65内に格納されているデータを、受容ポート59とメモリ60との間の電気的な接続を介して該メモリ60に送信するよう動作することが可能となる。暗号化プロセッサ170が、暗号化キー67と受信したロック処理コードとが一致しないと判定した場合には、メモリ装置65はロックモードに維持される。
【００３９】
更に別の実施形態では、暗号化プロセッサ170は、メモリ装置65が受容ポート59に挿入された際に該メモリ装置65に対してロック処理コードを催促する。メモリ装置65はロック処理コードを暗号化プロセッサ170へ送信する。セキュアなポータブルマウスメモリ装置12内の暗号化プロセッサ170は、受信したロック処理コードを、メモリ60内の暗号化キー67と比較する。暗号化プロセッサ170は、それらが一致すると判定した場合に、メモリ装置65のロックを解除し、これにより、該メモリ装置65が、マウスコード35及びハウジング部23内の導電トレースライン（図示せず）を介してプロセッサユニット70と通信するよう動作することが可能となる。
【００４０】
更に別の実施形態では、暗号化プロセッサ170が一致を判定した際に、メモリ装置65が、マウスコード35を介してプロセッサユニット70へ、及び受容ポート59との間の電気的な接続を介してメモリ60へ、データをダウンロードするよう動作することが可能となる。
【００４１】
一実施形態では、メモリ装置65は、Lexar社のJumpDrive(R) Secure（USB半導体ドライブ）、Kingston社のData Traveler 2.0（高速フラッシュメモリ）、及びSONY社のMicro Vaultといった、ジャンプドライブ（jump drive）である。別の実施形態では、メモリ装置65は、メモリスティック(R) PRO カード、Lexar Media社のメモリスティック、及びSONY社のMSX-M256Sメモリスティックといった、メモリスティックである。別の実施形態では、受容ポート59は、パーソナルディジタルアシスタント又は携帯電話のためのドッキングポートであり、メモリ装置65は、パーソナルディジタルアシスタント又は携帯電話である。このようにして、パーソナルディジタルアシスタント又は携帯電話からのデータをメモリ60へダウンロードすることが可能となる。
【００４２】
図６は、本発明の第４の実施形態によるセキュアなポータブルマウスメモリ装置13の断面を示す平面図である。この第４の実施形態では、セキュアなポータブルマウスメモリ装置13は、プロセッサコネクタ端部50がメモリ装置61に置換されており、メモリ60がマウス32のハウジング部33内になく、及び受容ポート59が挿入可能なメモリ装置61を受容するよう機能することができるという点で、セキュアなポータブルマウスメモリ装置10とは異なる。図６に示すように、暗号化プロセッサ170及び暗号化キー67はメモリ装置61内に配置され、該暗号化プロセッサ170は、メモリ装置61がプロセッサユニット70のプロセッサ受容ポート71に挿入された際に該プロセッサユニット70のユーザに対してロック処理コードを催促する。別の実施形態では、暗号化プロセッサ170及び暗号化キー67が、マウス32のハウジング部33内に配置され、該暗号化プロセッサ170は、メモリ装置61がプロセッサユニット70のプロセッサ受容ポート71に挿入された際にマウスコード35を介してプロセッサユニット70のユーザにロック処理コードを催促する。
【００４３】
メモリ装置61が受容ポート59内に挿入されたとき、セキュアなポータブルマウスメモリ装置13のユーザは、マウスコード35を該ユーザの首にかけてマウス32及びメモリ装置61を容易且つ安全に運ぶことができる。
【００４４】
一実施形態では、メモリ装置61が、セキュアなポータブルマウスメモリ装置13の表面上の受容クリップ内にクリップ留めされて、該セキュアなポータブルマウスメモリ装置13がネックレス42という形に固定的に取り付けられる。セキュアなポータブルマウスメモリ装置10及びメモリ装置61上の、掛け金、はめ合いスナップ、ベルクロ(R)、メモリ装置を受容するための溝、及び互換性粘着テープのうちの１つ又は２つ以上を含む他の固定的な取り付けもまた実施可能である。更に別の実施形態では、メモリ装置61近傍のマウスコード35の端部が、セキュアなポータブルマウスメモリ装置13におけるクリップ、掛け金、又は溝内に係合して、ネックレス42という形のセキュアなポータブルマウスメモリ装置13が形成される。
【００４５】
図７ないし図１８において、伸縮自在なコード39は、格納位置において伸縮可能なコードをスプールの周囲に巻き付け、又は伸張位置において伸縮可能なコードをスプールからほどくよう働くスプール機構を有するスプール装置を含む。図７ないし図１８に関連する説明では、本発明が不明瞭にならないように、スプール機構及びスプールのロック機構の幾つかの周知の特徴は図示せず又は説明しない。図７ないし図１８に示す本発明の実施形態では、メモリからプロセッサユニットへのセキュアな送信機能は、図２、図４、図５、及び図６に関して提供した説明から分かるように、暗号化プロセッサ170及び暗号化キー67により提供される。
【００４６】
図７は、本発明の第５の実施形態による、プロセッサユニット70と通信可能な状態にあるセキュアなポータブルマウスメモリ装置14の断面を示す平面図である。この実施形態では、伸縮可能なコード39は、コードを伸縮させるよう動作することが可能なスプール装置80を含む。図８は、格納位置におけるスプール装置80を拡大してその断面を示す側面図である。伸縮可能なコード39は、中央スプール部87の周囲に巻き付けられ、上部スプール部85及び底部スプール部86により該中央スプール部87の周囲に保持される。該中央スプール部87はスプール機構（図示せず）を含む。
【００４７】
伸縮可能なコード39は、２つの端部、すなわちマウス端部38及びコネクタ端部37を含む。スプール装置80は、伸縮可能なコード39のマウス端部38でマウス26に取り付けられる。スプール装置80は、伸縮可能なコード39のコネクタ端部37でプロセッサコネクタ端部45に取り付けられる。伸縮可能なコード39は、マウス端部38からコネクタ端部37へと連続的に延びる少なくとも１つの電気的な導体を含み、これによりマウス26内のメモリ60とプロセッサユニット70との間の電気的な通信が提供される。伸縮可能なコード39は更に、マウスからプロセッサユニット70へカーソル信号を送信する働きをすることが可能である。
【００４８】
一実施形態では、スプール装置は、伸張又は格納位置にスプールを保持するロック機構を含む。この場合には、伸縮可能なコードは、該コードが最長に伸張するまでその任意の選択された長さでロックすることができる。
【００４９】
暗号化プロセッサ170は、伸縮可能なコード39を介してプロセッサユニット70と通信して、受信したロック処理コードとメモリ60内の暗号化キー67との一致を判定するよう動作することが可能である。
【００５０】
図９は、本発明の第５の実施形態によるセキュアなポータブルマウスメモリ装置14を示す平面図である。スプール装置80は格納位置にある。伸縮可能なコード39は、中央スプール部87の周囲に巻き付けられ、該伸縮可能なコード39のマウス端部38及びコネクタ端部37のみが上部スプール部85を超えて延びている。破線39は、伸縮可能なコード39を上部スプール部85上に投影させて表したものである。
【００５１】
図１０は、本発明の第５の実施形態による、ネックレス42として形成されたセキュアなポータブルマウスメモリ装置14を示す平面図である。伸縮可能なコード39は、スプール装置80が伸張位置にありプロセッサコネクタ端部45が受容ポート58に取り付けられた際に該セキュアなポータブルマウスメモリ装置14がネックレス42を形成するのを可能にするだけの長さを有する。このようにして、セキュアなポータブルマウスメモリ装置14のユーザは、マウス26、スプール装置80、及びマウスコード36をネックレス42として該ユーザの首にかけて持ち運ぶ。
【００５２】
一実施形態では、ユーザは、伸縮可能なコード39をスプール装置80から伸張させてその長さを一定の位置でロックさせ、これにより、該伸張された長さによって形成されるループが、該セキュアなポータブルマウスメモリ装置14をユーザの手首、上腕、腰、又は脚の周囲に固定する直径を有するようにする。別の実施形態では、ユーザは、伸縮可能なコード39をスプール装置80から伸張させてその長さを一定の位置でロックさせ、これにより、該伸張された長さによって形成されるループが、該セキュアなポータブルマウスメモリ装置14を必要に応じてユーザの手首、上腕、腰、又は足首の周囲に緩く固定する直径を有するようにする。
【００５３】
更に別の実施形態では、プロセッサコネクタ端部45が、セキュアなポータブルマウスメモリ装置14の表面上の受容クリップ（図示せず）内にクリップ留めされて、該セキュアなポータブルマウスメモリ装置14がネックレス42という形に固定的に取り付けられる。セキュアなポータブルマウスメモリ装置14及びプロセッサコネクタ端部45上の、掛け金、はめ合いスナップ、ベルクロ(R)、及び互換性粘着テープのうちの１つ又は２つ以上を含む他の固定的な取り付けもまた実施可能である。更に別の実施形態では、マウスメモリ装置14がネックレス42として形成されている際に、そのハウジング部27上に配設されたクリップ（図示せず）がユーザが着用している衣服に取り付けられる。更に別の実施形態では、マウスメモリ装置14がネックレス42として形成されている際に、ハウジング部27上に配設されたキーチェーンリング（図示せず）がユーザのキーチェーンに取り付けられる。
【００５４】
図１１は、本発明の第６の実施形態によるセキュアなポータブルマウスメモリ装置15の断面を示す平面図である。セキュアなポータブルマウスメモリ装置15では、マウス28のハウジング部29内にスプール装置81が配設され、これは、マウス26（図９）の外部に配設されるスプール装置80とは異なっている。伸縮可能なコード39のプロセッサコネクタ端部45は、セキュアなポータブルマウスメモリ装置15が格納位置にある際に部分的にハウジング部29の外部に位置する。このようにして、ユーザは、伸縮可能なコード39のプロセッサコネクタ端部45を引き出して伸張させることができる。この実施形態では、マウス端部38は、伸縮可能なコード39をメモリ60に電気的に接続するための、双方向矢印66で示す導体である。
【００５５】
図１０に関して上述したように、伸縮可能なコード39は、スプール装置81が伸張位置にありプロセッサコネクタ端部45が受容ポート58に取り付けられた際にセキュアなポータブルマウスメモリ装置15がネックレス42を形成することを可能にする長さを有する。一実施形態では、ユーザは、伸縮可能なコード39をスプール装置81内に格納してマウス28をハンドバッグ、ポケット、又はブリーフケースに入れて持ち運ぶことができる。メモリ及びコードがハウジング部29内に収容されているため、伸縮可能なコード39が、ハンドバッグ、ポケット、又はブリーフケース内の他の物品にからみついてしまうことがない。この場合、ユーザは、メモリ及びマウスにアクセスするために、移動時に、ハンドバッグ、ポケット、又はブリーフケース内に１つの物品を入れるだけでよくなる。
【００５６】
一実施形態では、セキュアなポータブルマウスメモリ装置15は、メモリ60からプロセッサユニット70へ伸縮可能なコード39を介して電気的にデータを送信するよう動作することが可能である。別の実施形態では、マウス28は、ワイヤレスチップ（図示せず）を含み、及びプロセッサユニット70とワイヤレスで通信し、伸縮可能なコード39はネックレス42として働く。更に別の実施形態では、セキュアなポータブルマウスメモリ装置15は、伸縮可能なコード39を介して電気的に、及びワイヤレスで、メモリ60からプロセッサユニット70へデータを送信するよう動作することが可能である。
【００５７】
図１２は、本発明の第７の実施形態によるセキュアなポータブルマウスメモリ装置16を示す平面図である。この実施形態では、セキュアなポータブルマウスメモリ装置16は、メモリ61、暗号化プロセッサ170、及び暗号化キー67がマウス30内ではなくスプール装置82内に配設されている点で、セキュアなポータブルマウスメモリ装置14,15とは異なる。破線61,67,170は、メモリ61、及び暗号化プロセッサ170を上部スプール部85上に投影させて表したものである。暗号化プロセッサ170は、伸縮可能なコード39を介してプロセッサユニット70と通信してロック処理コードとメモリ61内の暗号化キー67との一致を判定するよう動作することが可能である。
【００５８】
セキュアなポータブルマウスメモリ装置16は、プロセッサコネクタ端部45が受容ポート58内に挿入された際にネックレス形態となる。一実施形態では、暗号化プロセッサ170はメモリ61の一部となる。更に別の実施形態では、暗号化キー67は暗号化プロセッサ170内に格納される。
【００５９】
図１３は、本発明の第７の実施形態による、プロセッサユニット70と通信可能な状態にあるセキュアなポータブルマウスメモリ装置16の断面を示す平面図である。スプール装置82内に配設されたメモリ61（図１２）は、伸縮可能なコード39のコネクタ端部37がプロセッサ受容ポート71内に挿入された際に、プロセッサユニット70と電気的に接続された状態になる。該電気的な接続は、メモリ61（図１２）からプロセッサユニット70へデータを送信するよう働くことが可能なものである。
【００６０】
プロセッサユニット70内のカーソルコントローラがマウス30からワイヤレス信号でない信号を受信する場合には、伸縮可能なコード39がマウス端部38とコネクタ端部37との間の導体となって、マウス26とプロセッサユニット70との間の電気的な通信を可能にする。
【００６１】
図１４は、本発明の第８の実施形態による、プロセッサユニット70と通信可能な状態にあるセキュアなポータブルマウスメモリ装置17の平面図である。該セキュアなポータブルマウスメモリ装置17において、スプール装置83は、ワイヤレスチップ62を含むため、セキュアなポータブルマウスメモリ装置16（図１２及び図１３）のスプール装置82とは異なる。破線61,62,67,170は、メモリ61、ワイヤレスチップ62、暗号化キー67、及び暗号化プロセッサ170を上部スプール部85上に投影させて表したものである。破線72は、ワイヤレスチップ72をプロセッサユニット70上に投影させて表したものである。ワイヤレスチップ62は、メモリ61と電気的に通信可能な状態にある（図示せず）。ワイヤレスチップ62は上部スプール部85内に収容され、ワイヤレスチップ72はプロセッサユニット70内に収容される。
【００６２】
セキュアなポータブルマウスメモリ装置17は、プロセッサコネクタ端部45が受容ポート58内に挿入された際にネックレス42の形態となる。一実施形態では、メモリ61及びワイヤレスチップ62が底部スプール部86内に収容される。別の実施形態では、メモリ61及びワイヤレスチップ62が中央スプール部87内に収容される。
【００６３】
更に別の実施形態では、セキュアなポータブルマウスメモリ装置17は、完全にワイヤレスマウス装置として機能し、この場合には、当業界で周知のように、マウスカーソル制御信号がマウス32からプロセッサユニット70へワイヤレスで送信される。更に別の実施形態では、マウスカーソル制御信号がマウス32からプロセッサユニット70へ電気的に送信され、メモリデータのみがプロセッサユニット70へワイヤレスで送信される。
【００６４】
図１５は、本発明の第９の実施形態によるスプール装置84を拡大してその断面を示す側面図である。図１６は、本発明の第９の実施形態によるスプール装置84の断面を示す平面図である。図１６は、図１５の16-16断面図である。スプール装置84は、伸縮可能なコード39のマウス端部38にマウスコネクタ端部46が付加されているため、スプール装置82（図１２及び図１３）とは異なる。このようにして、該スプール装置84はマウスに着脱自在に取り付けられる。図１５及び図１６では、スプール装置84は格納位置にあり、伸縮可能なコード39が中央スプール部87の周囲に巻き付けられて底部スプール部86上に載置される。
【００６５】
メモリ61と伸縮可能なコード39との間の電気的な接続は矢印62（図１５）で示されている。一実施形態では、メモリ61と伸縮可能なコード39との間の電気的な接続は、中央スプール部87の内部の導線（trace line）である。別の実施形態では、メモリ61と伸縮可能なコード39との間の電気的な接続は、中央スプール部87の外面上の導線である。更に別の実施形態では、メモリ61と伸縮可能なコード39との間の電気的な接続は、中央スプール部87の導電性の外部表面である。更に別の実施形態では、伸縮可能なコード39は、メモリ61に電気的に接触するよう上部スプール部85内に挿入される。中央スプール部87は、スプール機構（図示せず）を収容する。
【００６６】
図１７は、本発明の第９の実施形態による、プロセッサユニット70と通信可能な状態にあるセキュアなポータブルマウスメモリ装置18を示す平面図である。該セキュアなポータブルマウスメモリ装置18は、伸縮可能なコード39を介してプロセッサユニット70と通信可能な状態にあるマウス34及びスプール装置84を含む。マウス34は、マウス受容ポート57及びマウス受容ポート58を含む。マウス受容ポート57及びマウス受容ポート58は、マウス34のハウジング部29内に形成される。伸縮可能なコード39のプロセッサコネクタ端部45がプロセッサ受容ポート71内に挿入され、及びマウスコネクタ端部46がマウス受容ポート57内に挿入されて、メモリがプロセッサユニット70と通信するよう動作することが可能となる。メモリ61は、スプール装置84とプロセッサユニット70との間で伸縮可能なコード39を介してプロセッサユニット70と通信するよう動作することが可能である。マウス34からのカーソル信号は、該マウス34とプロセッサユニット70との間の伸縮可能なコード39の連続する導体の全長を介してプロセッサユニット70と通信する。
【００６７】
プロセッサコネクタ端部45がマウス受容ポート58内に挿入され、及びマウスコネクタ端部46がマウス受容ポート57内に挿入されて、セキュアなポータブルマウスメモリ装置18がネックレスを形成する。
【００６８】
一実施形態では、セキュアなポータブルマウスメモリ装置18のスプール装置84内にワイヤレスチップが配設されて、プロセッサユニット70とのワイヤレス通信が提供される。別の実施形態では、ワイヤレスチップがマウス34内に配設され、セキュアなポータブルマウスメモリ装置18がプロセッサユニット70とワイヤレス通信可能な状態となる。これら実施形態の何れの場合も、暗号化プロセッサ170は、ワイヤレス信号を介してプロセッサユニット70と通信して、受信したロック処理コードとメモリ61内の暗号化キー67との間の一致を判定するよう動作することが可能であり、これら実施形態では、伸縮可能なコード39は、ネックレスを形成する働きしかしないものである。
【００６９】
別の実施形態では、メモリ61はスプール装置84内に存在しない。この場合、メモリ61は、マウス34のハウジング部29内に配設される。該メモリ61は、プロセッサコネクタ端部45がプロセッサ受容ポート71内に挿入され、及びマウスコネクタ端部46がマウス受容ポート57内に挿入された際に、プロセッサユニット70と通信するよう動作することが可能となる。
【００７０】
更に別の実施形態では、プロセッサコネクタ端部46が、セキュアなポータブルマウスメモリ装置18の表面上の第１の受容クリップ（図示せず）内にクリップ留めされ、プロセッサコネクタ端部45が、該セキュアなポータブルマウスメモリ装置18上の第２の受容クリップ（図示せず）内にクリップ留めされて、該セキュアなポータブルマウスメモリ装置18がネックレス42という形態に固定的に取り付けられる。セキュアなポータブルマウスメモリ装置18及びプロセッサコネクタ端部45,46上の、掛け金、はめ合いスナップ、ベルクロ(R)、及び互換性粘着テープのうちの１つ又は２つ以上を含む、他の固定的な取り付けもまた実施可能である。
【００７１】
図１８は、本発明の第１０の実施形態によるセキュアなポータブルマウスメモリ装置19の断面を示す平面図である。この第１０の実施形態では、セキュアなポータブルマウスメモリ装置19は、メモリ60がマウス30のハウジング部31内に存在せず、伸縮可能なコード39のコネクタ端部37にメモリ装置61が配設され、受容ポート59が該メモリ装置61を受容するよう動作することが可能である点で、セキュアなポータブルマウスメモリ装置14（図９）とは異なる。セキュアなポータブルマウスメモリ装置19では、暗号化プロセッサ170は、メモリ61内にあり、導電トレースライン（図示せず）を介してプロセッサユニット70と通信して、受信したロック処理コードとメモリ61内の暗号化キー67との間の一致を判定するよう動作することが可能である。メモリ装置61が受容ポート59内に挿入された際に、セキュアなポータブルマウスメモリ装置13のユーザは、伸縮可能なコード39を該ユーザの首の周りにかけて、マウス30及びメモリ装置61を容易且つ安全に運ぶことができる。
【００７２】
図示した例示としてのセキュアなポータブルマウスメモリ装置は全て、メモリ60又は61とプロセッサユニット70との間の通信のための接続を確立するよう動作することが可能なものであり、それらの場合、メモリは、マウス20,24,又は26内に、又は個々のマウス26,28,30,又は34に取り付けられ又は取り付けることが可能なスプール装置80,81,83,又は84内に配設される。該セキュアなポータブルマウスメモリ装置は全て、該セキュアなポータブルマウスメモリ装置の簡単な搬送を可能にすべく、該セキュアなポータブルマウスメモリ装置をユーザの首にかけるためにネックレスを形成するよう動作することが可能である。
【００７３】
該セキュアなポータブルマウスメモリ装置は、ユーザが携帯可能なオフィスを持つための方法を提供し、この場合、ユーザは、該セキュアなポータブルマウスメモリ装置のうちの１つから任意の場所における利用可能なコンピュータ上へデータをダウンロードする。該ユーザは次いで該セキュアなポータブルマウスメモリ装置を用いて接続されたコンピュータ内のカーソルを操作する。一つの例示的な場合、遠隔地にある幾つかのオフィスへと移動する販売員は、該遠隔地のオフィスにあるコンピュータを、その場所に移動する他の販売員と共用することが可能である。該販売員は、ラップトップ及びマウスを持ち運ぶ必要はなく、移動時にセキュアなポータブルマウスメモリ装置をネックレスとして着用して、あらゆる場所のコンピュータで使用することが可能である。
【００７４】
上記の実施形態を組み合わせて、本書で特に説明していない更なる実施形態を形成することが可能である。
【００７５】
本書で説明した本発明の実施形態は、現時点で好適と思われるものであるが、本発明の範囲から逸脱することなく様々な変更及び修正を行うことが可能である。本発明の範囲は特許請求の範囲に示されており、それと等価なものの意味及び範囲に含まれる全ての変更を特許請求の範囲により網羅することが意図されている。
【００７６】
以下においては、本発明の種々の構成要件の組み合わせからなる例示的な実施形態を示す。
１．プロセッサユニットと共に使用するためのセキュアなポータブルマウスメモリ装置であって、
前記プロセッサユニットと通信可能な状態にある暗号化プロセッサを有するマウスと、
メモリがプロセッサユニットと通信するよう動作することができるアンロックモードを有し、及びメモリがプロセッサユニットと通信するよう動作することができないロックモードを有する、メモリと、
暗号化キーであって、前記暗号化プロセッサが受信したロック処理コードを該暗号化キーと突き合わせた際に該暗号化プロセッサが前記メモリをアンロックモードにロックする、暗号化キーと
を含む、セキュアなポータブルマウスメモリ装置。
２．前記マウスが、アンロックモードにあるメモリと前記プロセッサユニットとの間で、ワイヤレス接続を介してデータを送信するよう動作することが可能である、前項１に記載の装置。
３．前記マウスがマウスコードを有し、該マウスコードがプロセッサコネクタ端部を有し、該プロセッサコネクタ端部を受容するための受容ポートを前記マウスが有する、前項１に記載の装置。
４．前記プロセッサコネクタ端部が、コンピュータ、携帯型通信装置、ラップトップコンピュータ、パーソナルディジタルアシスタント、携帯電話、音楽プレーヤ、ディジタルカメラ装置、ビデオ記録装置、及びそれらの組み合わせからなるグループから選択されたプロセッサユニットに接続されるよう構成される、前項３に記載の装置。
５．前記プロセッサコネクタ端部がメモリ装置を含み、該メモリ装置が前記受容ポートに挿入可能なものである、前項３に記載の装置。
６．前記暗号化キーがバイオメトリック識別子であり、前記マウスが更にバイオメトリックセンサを含む、前項１に記載の装置。
７．前記マウスがメモリポートを有し、前記メモリが該メモリポートに挿入可能なリムーバブルメモリ装置である、前項１に記載の装置。
８．前記マウスがメモリポートを有し、前記メモリがアンロックモードにあるときに前記メモリポートに挿入されたリムーバブルメモリ装置から前記メモリをアップデートすることが可能である、前項１に記載の装置。
９．マウスコードを伸縮させるよう動作することが可能であり、及び前記マウスに取り付けられる、スプール装置を更に含む、前項１に記載の装置。
10．前記マウスがハウジング部を有し、該ハウジング部内に前記スプール装置が配設され、
前記プロセッサコネクタ端部が部分的に前記ハウジング部の外部に位置する、
前項９に記載の装置。
11．前記メモリが前記スプール装置内に配設される、前項９に記載の装置。
12．プロセッサユニットと共に使用するためのセキュアなポータブルマウスメモリシステムであって、
ハウジング部を有するマウスと、
該ハウジング部内に配設された暗号化プロセッサであって、前記プロセッサユニットと通信可能な状態にあり、及び該プロセッサユニットのユーザからロック処理コードを受信するよう動作することが可能である、暗号化プロセッサと、
前記ハウジング部内に配設された前記暗号化プロセッサと接続するよう動作することが可能であり、及びロック処理モードを有する、メモリと、
前記ハウジング部内に格納された暗号化キーであって、前記暗号化プロセッサが受信したロック処理コードを該暗号化キーと突き合わせた際に該暗号化プロセッサが前記メモリのロック処理モードをアンロックモードに設定する、暗号化キーと
を含む、セキュアなポータブルマウスメモリシステム。
13．前記メモリの前記ロック処理モードが、ロックモード及びアンロックモードを含み、該メモリが、前記アンロックモードにおいて前記プロセッサユニットと通信するよう動作することができ、前記ロックモードにおいて前記プロセッサユニットと通信するよう動作することができない、前項12に記載のシステム。
14．前記マウスが、プロセッサコネクタ端部を有するマウスコードを含み、該プロセッサコネクタ端部を受容するための受容ポートもまた有する、前項12に記載のシステム。
15．前記マウスがハウジング部を有し、該ハウジング部内に前記受容ポートが形成される、前項14に記載のシステム。
16．前記プロセッサコネクタ端部が前記受容ポートに取り付けられた際に該装置がネックレスを形成することを可能にする長さを前記コードが有する、前項15に記載のシステム。
17．前記マウスが、ワイヤレス接続を介して前記メモリと前記プロセッサユニットとの間でデータを送信するよう動作することが可能である、前項12に記載のシステム。
18．セキュアなポータブルマウスメモリシステムであって、
暗号化キーと受信したロック処理コードとの一致を判定するための手段と、
マウス内のメモリのロック処理モードを設定するための手段と、
前記マウスとプロセッサユニットとの間の接続を確立するための手段と、
前記ロック処理モードの設定に基づいて前記メモリと前記プロセッサユニットとの間でデータを送信するための手段と
を含む、セキュアなポータブルマウスメモリシステム。
19．前記接続が確立されていないときに前記マウスをユーザへ取り付けるための手段を更に含む、前項18に記載のシステム。
20．前記接続を確立するための前記手段を格納するための手段を更に含む、前項19に記載のシステム。
【図面の簡単な説明】
【００７７】
【図１】本発明の第１の実施形態によるセキュアなポータブルマウスメモリ装置を断面で示す平面図である。
【図２】本発明の第１の実施形態による、プロセッサユニットと通信可能な状態にあるセキュアなポータブルマウスメモリ装置を示す平面図である。
【図３】本発明の第１の実施形態によるネックレス形態のセキュアなポータブルマウスメモリ装置を示す平面図である。
【図４】本発明の第２の実施形態による、プロセッサユニットと通信可能な状態にあるセキュアなポータブルマウスメモリ装置を断面で示す平面図である。
【図５】本発明の第３の実施形態による、プロセッサユニットと通信可能な状態にあるセキュアなポータブルマウスメモリ装置を示す平面図である。
【図６】本発明の第４の実施形態によるセキュアなポータブルマウスメモリ装置を断面で示す平面図である。
【図７】本発明の第５の実施形態による、プロセッサユニットと通信可能な状態にあるセキュアなポータブルマウスメモリ装置を断面で示す平面図である。
【図８】収納位置における図７の巻取装置の断面を拡大して示す側面図である。
【図９】本発明の第５の実施形態によるセキュアなポータブルマウスメモリ装置を示す平面図である。
【図１０】本発明の第５の実施形態によるネックレスとして形成されたセキュアなポータブルマウスメモリ装置を示す平面図である。
【図１１】本発明の第６の実施形態によるセキュアなポータブルマウスメモリ装置を断面で示す平面図である。
【図１２】本発明の第７の実施形態によるセキュアなポータブルマウスメモリ装置を示す平面図である。
【図１３】本発明の第７の実施形態による、プロセッサユニットと通信可能な状態にあるセキュアなポータブルマウスメモリ装置を断面で示す平面図である。
【図１４】本発明の第８の実施形態による、プロセッサユニットと通信可能な状態にあるセキュアなポータブルマウスメモリ装置を示す平面図である。
【図１５】本発明の第９の実施形態による巻取装置の断面を拡大して示す側面図である。
【図１６】本発明の第９の実施形態による巻取装置の断面を示す平面図である。
【図１７】本発明の第９の実施形態による、プロセッサユニットと通信可能な状態にあるセキュアなポータブルマウスメモリ装置を示す平面図である。
【図１８】本発明の第１の実施形態によるセキュアなポータブルマウスメモリ装置を断面で示す平面図である。
【符号の説明】
【００７８】
10    セキュアなポータブルマウスメモリ装置
20    マウス
21    ハウジング部
35    マウスコード
50    プロセッサコネクタ端部
58    受容ポート
60    メモリ
67    暗号化キー
170    暗号化プロセッサ
【図１】
2007026448.tif 000003
【図２】
2007026448.tif 000004
【図３】
2007026448.tif 000005
【図４】
2007026448.tif 000006
【図５】
2007026448.tif 000007
【図６】
2007026448.tif 000008
【図７】
2007026448.tif 000009
【図８】
2007026448.tif 000010
【図９】
2007026448.tif 000011
【図１０】
2007026448.tif 000012
【図１１】
2007026448.tif 000013
【図１２】
2007026448.tif 000014
【図１３】
2007026448.tif 000015
【図１４】
2007026448.tif 000016
【図１５】
2007026448.tif 000017
【図１６】
2007026448.tif 000018
【図１７】
2007026448.tif 000019
【図１８】
2007026448.tif 000020